(57)【要約】【課題】ホース本体との関わりにおいて消防用ホースの終端に位置する保護カバーの位置や状態が容易に把握できるようにした消防用ホースを提供すること。【解決手段】消防用ホースは、扁平に潰して纏め得るとともに扁平に潰したときに扁平面となる一対の腹部を有する柔軟なホース本体と、ホース本体の端部外周に被せられるとともに扁平に潰したときに扁平面となる一対の腹部を有する柔軟な保護カバーと、ホース本体及び保護カバーの端に設けられた硬質部材と、ホース本体の一対の腹部の一方においてホース本体の長手方向に沿って設けられた第１の反射材と、保護カバーの一対の腹部のうち、第１の反射材が設けられたホース本体の腹部と同じ側の一方においてホース本体の長手方向に沿って設けられた第２の反射材と、保護カバーの一対の腹部のうち第２の反射材が設けられていない一方に設けられた第３の反射材とを備える。【選択図】  図１
2018064958.tif 000002
【特許請求の範囲】
【請求項１】
扁平に潰して纏め得るとともに、扁平に潰したときに扁平面となる一対の腹部を有する柔軟なホース本体と、
前記ホース本体の端部外周に被せられるとともに、扁平に潰したときに扁平面となる一対の腹部を有する柔軟な保護カバーと、
前記ホース本体の端及び前記保護カバーの端に設けられた硬質部材と、
前記ホース本体の前記一対の腹部の一方において、前記ホース本体の長手方向に沿って設けられた第１の反射材と、
前記保護カバーの前記一対の腹部のうち、前記第１の反射材が設けられた前記ホース本体の前記腹部と同じ側の一方において、前記ホース本体の長手方向に沿って設けられた第２の反射材と、
前記保護カバーの前記一対の腹部のうち、前記第２の反射材が設けられていない一方に設けられた第３の反射材と、
を備えることを特徴とする消防用ホース。
【請求項２】
前記ホース本体の前記一対の腹部のうち、前記第１の反射材が設けられていない一方には、反射材が存在しない、
請求項１の消防用ホース。
【請求項３】
前記ホース本体の前記一対の腹部のうち、前記第１の反射材が設けられていない一方には、着色された糸を織り込むことで形成された縦線が前記ホース本体の長手方向に沿って設けられている、
請求項１又は２の消防用ホース。
【請求項４】
前記ホース本体の前記一対の腹部のうち、前記第１の反射材が設けられた一方には、前記ホース本体を扁平に潰したときに屈曲する一対の耳部と当該腹部との境界をそれぞれ示す一対の境界線が設けられ、
前記第１の反射材は、前記一対の境界線の間に配置され、
前記第１の反射材と前記一対の境界線の各々との間に間隔が設けられている、
請求項１乃至３のうちいずれか１項の消防用ホース。
【発明の詳細な説明】
【技術分野】
【０００１】
本発明は、たとえ薄暗い場所においても高い視認性を備える消防用ホースに関する。
【背景技術】
【０００２】
一般に、ビル等の建物内での消火活動に用いられる消防用ホースは、ホース本体の一端に消火栓や他の消防用ホースに接続するための金具を設け、ホースの他端には他の消防用ホースに接続するための金具や送水口金等が設けられている。そして、消防用ホースは、ホース本体を扁平に潰した状態で、これをロール状に巻き上げ、或いはホース本体をつづら折り状態で畳む等、小さく纏めた状態で保管または搬送される。一方、消火活動時には、ホース本体を纏めた状態から直線状に伸展して使用する。
【０００３】
しかしながら、火災を起した建物では、停電等に伴って暗くなっている場合が多い。また、火災の煙等で視界が悪い状態に陥ることもある。特に、夜間時には、一層視界が顕著に悪い状態に陥り易い。このように視界が悪い環境の中でも消防士は消火活動を行わなければならない。一方、危険がさし迫った場合には、安全な場所へ速やかに退避しなければならない。
【０００４】
また、大抵の建物等の火災現場は、消防士にとって初めて立ち入る場所であることが多いので、現場の状況を把握することが困難である。しかも、視界が悪い状態であると、消防用ホースの状態把握が一層困難になり、消防用ホースの展開操作も困難である状況になる。
【０００５】
一方、危険が迫った場合、消防士は、速やかに安全な場所へ退避しなければならないが、その帰還経路を見失う虞がある。帰還経路を見失い道に迷うと、出口まで迅速に辿り着けずに事故につながりかねない。消防士はライトを携帯しているが、ライトを使用しても帰還経路は自己判断しなければならず、的確な帰還経路を見つけ出すことに限界があった。
【０００６】
このような状況に対処するため、ホース本体に反射材を貼着し、その反射材による光の反射により昼夜のみならず、暗所等にあっても、その消防用ホースの場所を発見し易くした消防用ホースが提案されている（特許文献１及び特許文献２参照）。
【先行技術文献】
【特許文献】
【０００７】
【特許文献１】実用新案登録第３０８０５０７号公報
【特許文献２】特開２００１−１９３８７４号公報
【発明の概要】
【発明が解決しようとする課題】
【０００８】
通常、消防用ホースは、ホース本体を扁平に潰した状態でつづら折りに畳んだ状態またはホース本体をロール状に巻き上げた状態に纏めて保管または搬送される。そして、消火活動時には消防用ホースを伸展する。
【０００９】
しかし、柔軟な消防用ホースの両端には、結合金具等のかなり重い筒状の硬質な部材である金具が取り付けられている。このことから、金具自体の重さとその形状が金具付近のホース部分の捩れや折れ曲がりを招き易い。また、金具付近のホース部分はホース本体中央部とは異なる変形状態になるため、金具の位置や姿勢の状態が一つに決まらず、ホース本体に対する金具の位置や姿勢の状態の把握が困難である。また、ホース本体をロール状に纏めた場合では金具付近のホース部分がロール状内部に収納またはそのロール状部の上に載せるので金具付近のホース部分がホース本体中央部分の形状とは異なる形になる。
【００１０】
しかも、金具付近のホース部分には保護カバーを設ける場合があり、この場合には、金具付近のホース部分が保護カバーによって隠れ、ホース本体の外周に設けた反射材が見えなくなる。このため、消防用ホースの終端部に位置するホース本体部分や保護カバーの位置や状態を把握でき難いと共に金具の状態把握が難しくなる。
【００１１】
また、金具付近では、保護カバーによって反射材が見えなくなっていることから、ホース本体を展開した場合にあっても、金具の位置やその姿勢や向き等の状態を反射材で把握することが難しい。以上の如く、消防用ホースの操作に支障を来たし易いという問題があった。
【００１２】
そこで、本発明は、ホース本体との関わりにおいて消防用ホースの終端に位置する保護カバーの位置や向きの状態が容易に把握でき、更に、ホース本体の端に設けた硬質部材の位置や向きの状態も容易に把握できる視認性および識別性の高い消防用ホースを提供することを目的としている。
【００１３】
また、本発明は、ホース本体及び保護カバーに付す反射テープ材の節約が図れる消防用ホースを提供することを目的としている。
【課題を解決するための手段】
【００１４】
前記目的を達成するために、本発明の消防用ホースは、扁平に潰して纏め得るとともに、扁平に潰したときに扁平面となる一対の腹部を有する柔軟なホース本体と、前記ホース本体の端部外周に被せられるとともに、扁平に潰したときに扁平面となる一対の腹部を有する柔軟な保護カバーと、前記ホース本体の端及び前記保護カバーの端に設けられた硬質部材と、前記ホース本体の前記一対の腹部の一方において、前記ホース本体の長手方向に沿って設けられた第１の反射材と、前記保護カバーの前記一対の腹部のうち、前記第１の反射材が設けられた前記ホース本体の前記腹部と同じ側の一方において、前記ホース本体の長手方向に沿って設けられた第２の反射材と、前記保護カバーの前記一対の腹部のうち、前記第２の反射材が設けられていない一方に設けられた第３の反射材と、を備える。
【００１５】
また、本発明の消防用ホースにおいて、前記ホース本体の前記一対の腹部のうち、前記第１の反射材が設けられていない一方には、反射材が存在しなくてもよい。
【００１６】
また、本発明の消防用ホースにおいて、前記ホース本体の前記一対の腹部のうち、前記第１の反射材が設けられていない一方には、着色された糸を織り込むことで形成された縦線が前記ホース本体の長手方向に沿って設けられてもよい。
【００１７】
更に、本発明の消防用ホースにおいて、前記ホース本体の前記一対の腹部のうち、前記第１の反射材が設けられた一方には、前記ホース本体を扁平に潰したときに屈曲する一対の耳部と当該腹部との境界をそれぞれ示す一対の境界線が設けられ、前記第１の反射材は、前記一対の境界線の間に配置され、前記第１の反射材と前記一対の境界線の各々との間に間隔が設けられてもよい。
【発明の効果】
【００１８】
本発明では、接続具等の硬質部材の手前の保護カバー領域で反射テープ材が途切れてしまうことがないのでその反射テープ材によって消防用ホースの終端部に位置する保護カバーの位置や向き等の状態を容易に把握できるという視認性および識別性が高まることのみならず、特に消防用ホースの終端に位置する接続具等の硬質部材の位置や向きの状態までも容易に把握できるようになる。したがって、比較的重い硬質部材を見失うことが少なくなる。また、硬質部材とホース本体との関わり状態も容易に把握できて消防用ホースの操作が迅速かつ正確に行うことができるようになる。
【００１９】
また、本発明では、保護カバーで覆われる硬質部材手前のホース本体の端部において保護カバーで覆われる部分の外表面には反射テープ材を付さず、保護カバーの外表面に反射テープ材を付すようにした場合は、その反射テープ材を無駄なく用いることができるので、反射テープ材の節約が図れ、消防用ホースのコストダウンを図ることができる。
【００２０】
更に、ホース本体を扁平に潰したときに扁平面となる２つの腹部の両方の外表面上に夫々反射テープ材を配設したものでは、裏側になってもその裏側の反射テープ材によって硬質部材の手前の保護カバーの状態を把握し易い。
【図面の簡単な説明】
【００２１】
【図１】本発明の一実施形態に係る消防用ホースを展開した使用状態を示す上面図。
【図２】同実施形態に係る消防用ホースをロール状に巻き上げて纏めた状態の消防用ホースを示す斜視図。
【図３】（Ａ）（Ｂ）は同実施形態に係る消防用ホースをロール状に巻き上げて纏める一つの方法の説明図。
【図４】（Ａ）（Ｂ）は同実施形態に係る消防用ホースをロール状に巻き上げて纏める他の方法の説明図。
【図５】同実施形態に係る消防用ホースの結合金具としての接続具付近を一部断面して示す側面図。
【図６】同実施形態に係る消防用ホースのホース本体の端部と保護カバーを分離して示すそれぞれの斜視図。
【図７】同実施形態に係る消防用ホースのホース本体と保護カバーを示すものであって、（Ａ）はホース本体単独の上面図、（Ｂ）は保護カバー単独の上面図、（Ｃ）はホース本体に保護カバーを被せた状態の上面図。
【図８】同実施形態に係る消防用ホースのホース本体と保護カバーを示すものであって、（Ａ）はホース本体単独の下面図、（Ｂ）は保護カバー単独の下面図、（Ｃ）はホース本体に保護カバーを被せた状態での下面図。
【発明を実施するための形態】
【００２２】
図１は、本発明の一実施形態に係る消防用ホース１を展開して使用する状態を示す説明図である。
【００２３】
消防用ホース１は、消火時、消火剤供給部２に接続される。消火剤供給部２は消火栓３と、この消火栓３の消火剤を消防用ホース１に導くための案内ホース４を備える。案内ホース４は柔軟性のあるホース５と、このホース５の先端に設けられた、消防用ホース１を接続するための口金６とを備える。消火剤は水などの消火に用いられる流動性を備えた物質であって、消火剤には水や粉体等も含まれる。
【００２４】
消防用ホース１は、長尺で筒状のホース本体１１と、ホース本体１１の端に設けられる硬質な部材とを備える。ここでの硬質部材は、結合金具となっている。つまり、ホース本体１１の一端に設けられる流入部としての流入側接続具１２（受け口）と、ホース本体１１の他端に設けられる流出部としての流出側接続具１３（差し口）となっている。流出側接続具１３には、消火剤放出用ノズル１４が接続されるが、この流出側接続具１３に他の消防用ホース１の流入側接続具１２を接続して消防用ホースを延長することが可能である。つまり、複数の消防用ホース１を順次連結して消防用ホースの延長が可能である。
【００２５】
ホース本体１１は、例えば、織物構造で布地筒状に形成されるが、不織物構造等の他の構造物であってもよい。ホース本体１１は、図５の符号Ｆで示す二点鎖線のように円筒形に膨らんだ状態と、図６に示すように扁平に潰された状態にも成り得る柔軟性を備えている。ホース本体１１は図６乃至図７で示すように、扁平に潰された状態でその扁平面となる上下の腹部１６a、１６bと、その扁平に潰す際に屈曲する左右の耳部１７とを備えている。腹部１６と耳部１７は上下または左右それぞれ２つのものとなる。左右の各耳部１７は例えばその耳部１７の糸の密度や太ささを腹部１６のたて糸の密度や太ささよりも密または太くしてその左右の耳部１７を補強すると共にその耳部１７に折れ癖を付与している。したがって、ホース本体１１は、扁平に潰す際には、左右の耳部１７が積極的に自ら屈曲して上下の腹部１６ａ，１６ｂが扁平面となるように潰される。
【００２６】
そして、消防用ホース１を保管または運搬する場合にあっては、通常、図２及び図３に示す一重巻きの形に纏める方法と図４に示す二重巻きの形に纏める方法とがある。
【００２７】
図３の（Ａ）に示すように、一重巻きの形に纏める場合にあっては、差し口としての接続具１３側からホース本体１１を巻き始め、巻き終わった状態で図３の（Ｂ）に示すように受け口としての接続具１２が、ロール状に巻き上げて纏めた状態でのホース本体１１によるロール部１８の外周面に沿って置かれる。また、差し口としての接続具１３は、ロール状に巻き上げて纏めた状態のロール部１８の内側に形成される中心空洞１９内に置かれる。
【００２８】
また、図４の（Ａ）に示すように、二重巻きの形に纏める場合には、ホース本体１１を扁平に潰した状態でホース本体１１の長さ方向の中ごろで２つに折り畳み、その２つ折りとしたホース部分を、この折り目部分からロール状に巻き上げて図４（Ｂ）に示すように小さく纏めた状態とする。このとき、接続具１２と接続具１３はロール状に巻き上げて纏めた状態のホース本体１１の外周面に沿って置かれるが、接続具１３はそのロール状に巻き上げて纏めた状態のホース本体１１の外側で接続具１２の保護カバー２３の内側に配置される。
【００２９】
また、消防用ホース１は、以上のごとく、ロール状に巻き上げて纏める場合に限らず、長さ方向のホース部分をつづら折り状態で畳む等の小さく纏めることも可能である。  
そして、消防用ホース１は、小さく纏めた状態で保管または搬送される。
【００３０】
一方、図６及び図７に示すように、ホース本体１１にはその腹部１６と耳部１７の境界を示すための破線状の境界線２０が設けられている。この境界線２０は、例えば、ホース本体１１の織物構造部に織り込まれる糸によって形成する。この際、ホース本体１１を形成する織物の糸の色と異なる色の糸を織り込み、ホース外面に破線状に現れるように境界線２０を形成する。ホース本体１１を形成する織物の糸の色は通常白であるが、境界線２０を形成する糸の色を緑や赤等の色とすることにより境界線２０の視認性を高め得る。
【００３１】
図６に示すように、ホース本体１１の上面の腹部１６ａには、第１の反射テープ材２１が貼り付けられる。第１の反射テープ材２１は、例えば、ホース本体１１の外表面に加熱圧着され、ホース本体１１と一体化させることにより貼り付けられる。したがって、第１の反射テープ材２１は、ホース本体１１の外表面に張り付いた状態で取り付けられている。また、他の方法でたとえば接着剤を用いてホース本体１１の外表面に第１の反射テープ材２１を取り付けて貼り付けてもよい。
【００３２】
第１の反射テープ材２１はその表面に入射する光を反射する性質を有している。このため、第１の反射テープ材２１は、例えば、帯状のテープ基材に光反射粒子を含有させて構成する。光反射粒子を含有させる実施形態としては、テープ基材への練り込みや付着などが考えられるが、これらに限定されるものでない。
【００３３】
この実施形態では、図７に示すように、第１の反射テープ材２１は、ホース本体１１の略全長にわたり、後述する保護カバー２３が被せられる部分を除き、前記ホース本体１１の上側の腹部１６ａの外表面における中央部に位置して貼り付けられる。後述する保護カバー２３が被せられる領域のホース本体１１の部分には、図６に示すように、第１の反射テープ材２１を貼り付けていない。
【００３４】
第１の反射テープ材２１は、ホース本体１１の長手軸方向へ直線的に延びて上側の腹部１６ａの左右に位置する境界線２０と略平行に上側の腹部１６ａの中央に配置される。そして、第１の反射テープ材２１は、ホース本体１１の上面の位置を視認させると共にホース本体１１の伸展及びホースの表裏の状態等を分からせる識別機能を発揮する。また、境界線２０と第１の反射テープ材２１の組み合わせによってその視認機能が高まる。
【００３５】
また、第１の反射テープ材２１の幅寸法を、特に３mm以上とすることで暗所においての視認性を確保し、かつホース本体１１との接着力も確保することにより反射テープ材２１の脱落を有効に防止する。第１の反射テープ材２１の幅寸法を、上側の腹部１６ａの左右に位置する一対の境界線２０の間の領域内で該境界線２０に合致しない領域に位置するように規定することで境界線２０及び第1の反射テープ材２１特に第1の反射テープ材２１の識別性を高める。更に、第1の反射テープ材２１の幅の上限を一対の境界線２０の内側範囲とすることによりホース本体１１の表面の色彩により特に昼間での視認性を高める。
【００３６】
次に、保護カバー２３について説明する。保護カバー２３は筒状の部材からなり、この実施形態ではホース本体１１の流入側端部と流出側端部の両方の部分にそれぞれ被せられる２つの保護カバーがある。これらの保護カバー２３についても上述したホース本体１１の場合と同様に例えば織物構造や不織物構造等で筒状に形成される。もちろん、ホース本体１１の構造とは別の構造のものであってもよい。また、保護カバー２３は図５に示すように円筒形に膨らんだ状態と、図６及び図７に示すように扁平に潰された状態のいずれにも成り得る柔軟性を有する。そして、保護カバー２３はこれが被嵌されるホース本体１１の端部における形状の急激な変形を規制し、ホース本体１１の端部におけるダメージを緩和する機能いわゆる折止め保護機能を有し、また、外力を緩和する保護機能を有する。
【００３７】
保護カバー２３の外観に現れる色は、ホース本体１１の色と同じであってもよいが、ここでは、ホース本体１１の色と異なる色とする。例えば、ホース本体１１の色を「白」した場合は、例えば、保護カバー２３の色を「青」とする。このようにホース本体１１と保護カバー２３の外へ現れる色を互いに異ならせることでもホース本体１１と保護カバー２３の両者を区別する識別性が高まる。
【００３８】
更に、保護カバー２３は、これを被せたホース本体１１の部分の変形に追従し得るが、図４及び図５で示すように扁平に潰された状態にその扁平面となる上下の腹部２６ａ，２６ｂと、その扁平に潰す際に屈曲する左右の耳部２７とが認識できる。
【００３９】
一方、保護カバー２３においても、その上側に位置する腹部２６ａの外表面における中央部に位置して第２の反射テープ材２２が貼り付けられている。第２の反射テープ材２２は、保護カバー２３の長手軸方向へ直線的に延びて上述した第１の反射テープ材２１に直線的に連なるように配置される。また、第１の反射テープ材２１と第２の反射テープ材２２の幅も一致する。第２の反射テープ材２２は上述した第１の反射テープ材２１のものと同じものを使用できる。
【００４０】
保護カバー２３が被せられるホース本体１１の領域の端部には第１の反射テープ材２１を付設せず、その分の反射テープ材を保護カバー２３の外表面に貼り付ける。したがって、高価な反射テープ材を無駄なく使用できるようになり、コストダウンが図れる。
【００４１】
第２の反射テープ材２２は、上述した第１の反射テープ材２１と連続的に続く状態で保護カバー２３の外表面に貼り付けられる。したがって、第１の反射テープ材２１と第２の反射テープ材２２と一体性が増す。
【００４２】
図８は、消防用ホース１のホース本体１１と保護カバー２３を示す下面図である。  
同図８（Ａ）に示すように、ホース本体１１の下側腹部１６ｂにはその外表面における中央部に位置してホース本体１１の長手軸方向へ直線的に延びた２本の縦線２５が間隔をあけて設けられている。この縦線２５はホース本体１１の地色と異なる色で着色された糸をホース本体１１の構造物に織り込むこと等により形成される。この縦線２５によりホース本体１１の下側腹部１６ｂを表示できる。また、ホース本体１１の下側腹部１６ｂには、第１の反射テープ材２１などの反射テープ材を設けていないことから、それによっても、その面が下側腹部１６ｂであることを識別できる。なお、この縦線２５はその本数や色により消防用ホース１の使用圧や種類等の形式を表示することにも利用できる。
【００４３】
図５は、接続具１２，１３にホース本体１１と保護カバー２３を取付け固定する取付け構造を示している。まず、流入側接続具１２は、通孔３１を有した接続具本体３２を備える。この接続具本体３２には通孔３１と同心的に形成される筒状のホース取付け部３３が設けられている。ホース本体１１の端部に保護カバー２３を略密に被せた状態でそのホース本体１１の端とその保護カバー２３の端を揃え、これらの両端部分をホース取付け部３３に被嵌する。そして、保護カバー２３の端部外周にリング３４を被嵌してこのリング３４によりホース本体１１及び保護カバー２３の端部を締め付けることで、ホース取付け部３３にホース本体１１及び保護カバー２３の端部を固定する。リング３４の代わりに保護カバー２３の端部外周に銅線を巻き付けて固定する等の他の接続固定手段を用いるようにしてもよい。他端側の流出側接続具１３についても同様の構造によりホース本体１１に接続固定することができる。
【００４４】
また、流入側接続具１２の接続具本体３２の内周には、流出側接続具１３を通孔３１内に差し込んだとき、その流出側接続具１３の差込み端部４０の外周に接し、嵌合する両者の間をシールするためのシール用パッキング３６が設けられている。また、接続具本体３２の内周において、シール用パッキング３６よりも手前側部分には流出側接続具１３の差込み端部４０に係止するためのばね部材３７が設けられている。また、接続具本体３２の外周には保護用環状部材３８が嵌め込まれている。
【００４５】
一方、流出側接続具１３の接続具本体３９には流入側接続具１２に差し込むための差込み端部４０が設けられ、この差込み端部４０の手前側外周面部分は操作環４１をガイドする操作環ガイド部４２を形成している。差込み端部４０の、操作環ガイド部４２よりも先端側にはその操作環ガイド部４２よりも太径に形成された係止部４３が形成されており、この係止部４３の手前側端を係止用段差部４４としている。そして、流出側接続具１３の差込み端部４０を流入側接続具１２の通孔３１に差し込んだとき、係止部４３が、ばね部材３７に係止する。この際、ばね部材３７は、係止部４３の先端で押されて退避し、係止部４３がばね部材３７を乗り越えると、ばね部材３７はそれ自身の弾性力によって自動的に落ち込み、ばね部材３７の先端が段差部４４に係止する。これにより消防用ホース１の流入側接続具１２が他の消防用ホース１の流出側接続具１３に連結される。
【００４６】
この連結を解除する場合は、流出側接続具１３の操作環４１を前方へ押込むことで、ばね部材３７を径外向きに退避させる。すると、段差部４４とばね部材３７の係合が外れ、流入側接続具１２から流出側接続具１３を引き抜くことができる。  
なお、接続具１２，１３の結合形式はこれに限定されるものでない。  
消防用ホース１をロール状に巻き上げて纏めた状態では、縦線２５が付されたホース本体１１の下側の腹部１６ｂが外側に向けて巻き上げられる。したがって、縦線２５によって消防用ホース１の種別を確認することができると共に下側の腹部１６ｂを認識できる。
【００４７】
一方、第１の反射テープ材２１を付したホース本体１１の上側の腹部１６ａは内側に向けて巻き上げられる。保護カバー２３には第２の反射テープ材２２を付しているのでその第２の反射テープ材２２を容易に認識することができる。
【００４８】
図８の（Ｂ）（Ｃ）に示すように、この実施形態では、縦線２５は、保護カバー２３に設けない。したがって、ホース本体１１についての保護カバー２３で覆われた領域と保護カバー２３で覆われない露出部分とが識別できる。
【００４９】
次に、ホース本体１１に第1の反射テープ材２１、保護カバー２３に第２の反射テープ材２２を貼り付ける作業工程について説明する。
【００５０】
貼り付ける反射テープ材は、通常、ロール状に巻かれており、これを端から繰り出し、ホース本体１１及び保護カバー２３に貼り付けて取着するが、ホース本体１１の上側に位置する腹部１６ａ及び保護カバー２３の上側に位置する腹部２６ａに対してのみ貼り付けて取着する。
【００５１】
まず、ホース本体１１に第1の反射テープ材２１を貼り付ける。この場合、扁平に潰された状態で直線的に展開したホース本体１１の上側に位置する腹部１６ａの中央にわたりホース本体１１の長手方向に沿って第1の反射テープ材２１を繰り出し、ホース本体１１に第1の反射テープ材２１を熱圧着してホース本体１１の上側に位置する腹部１６ａに貼り付ける。ホース本体１１の両端部において保護カバー２３により覆われる部分には、第1の反射テープ材２１を貼り付けないようにする。つまり、保護カバー２３により覆われる領域の部分を残して第1の反射テープ材２１を貼り付け始め、他方の保護カバー２３により覆われる領域の他端部分を残して第1の反射テープ材２１の貼り付け作業を止め、供給側から反射テープ材２１を切り離す。
【００５２】
これによって、保護カバー２３により覆われる両端部分を残してホース本体１１の上側に位置する腹部１６ａに第1の反射テープ材２１を貼り付ける。このとき、保護カバー２３により覆われる領域の両端部分には、第1の反射テープ材２１を使用しないので、その長さ分、反射テープ材２１の使用量を節約できる。
【００５３】
また、保護カバー２３の上側に位置する腹部２６ａの中央にわたり、その保護カバー２３の長手方向に沿って反射テープ材を繰り出し、その腹部２６ａに熱圧着して保護カバー２３の上側の腹部２６ａに反射テープ材を貼り付けて取着し、これを第２の反射テープ材２２とする。第２の反射テープ材２２を保護カバー２３に第１の反射テープ材２１に一直線上に連なるように配置することができる。したがって、保護カバー２３を設けたとしても、この保護カバー２３の表部分でも、反射テープ材の機能を発揮する。
【００５４】
また、保護カバー２３に設ける反射テープ材は、保護カバー２３により覆われる両端部分に貼り付けずに節約した分の反射テープ材を使用できるようになるので反射テープ材の無駄がなくなり、高価な反射テープ材を節約できる。
【００５５】
上述したように、保護カバー２３の外表面に第２の反射テープ材２２を貼り付けたので、ホース本体１１のみに反射テープ材を設けた場合のように、第１の反射テープ材２１などの反射テープ材が保護カバー２３の部分で隠れて途切れ、反射テープ材が外から見えなくなるような事態を回避できる。つまり、保護カバー２３の外表面に貼り付けた第２の反射テープ材２２が、ホース本体１１の端部での反射テープ材の途切れを補完し、保護カバー２３の部分を含め、消防用ホース１の略全長において、反射テープ材の反射ライン機能を発揮する。しかも、保護カバー２３の外表面に第１の反射テープ材２１に連なって第２の反射テープ材２２を設けるようにしたので、ホース本体１１に付された第１の反射テープ材２１と保護カバー２３の外面に付された第２の反射テープ材２２が連続的に連係し、両者が一体的に機能する。このため、反射テープ材の反射ラインとしての使用目的及びその機能・効能を顕著に高め、相乗的に機能・効果を発揮する。
【００５６】
本実施形態では、保護カバー２３で隠れるホース本体１１の端部領域には反射テープ材を付さないようにしたので、その分、反射テープ材の使用を節約できる。つまり、ホース本体１１の全長にわたり反射テープ材を付すものに比べ、保護カバー２３で隠れる領域への反射テープ材の使用量を少なくできる。したがって、反射テープ材を節約できる分、高価な反射テープ材の使用量が減り、コストダウンを図ることができる点で有用である。
【００５７】
本実施形態によると、上述したコストダウンを図りながら消防用ホース１の略全長において反射テープ材の機能を発揮することができるという格別な効果が得られる。
【００５８】
また、接続具１２，１３の手前のホース本体１１の端部を保護カバー２３で覆う場合、ホース本体１１に付した第１の反射テープ材２１はその保護カバー２３で覆われ、接続具１２，１３の手前のカバー領域で反射ラインが途切れてしまう。しかし、本実施形態では、接続具１２，１３の最直前の位置まで第２の反射テープ材２２の反射ラインがホース本体１１の第１の反射テープ材２１に連続して設けられる。このため、かなりの暗闇でも第１の反射テープ材２１及び第２の反射テープ材２２の反射ラインを辿って消防用ホース１の最終端つまり接続具１２，１３の位置まで容易に辿りつくことができる。
【００５９】
そして、第１の反射テープ材２１及び第２の反射テープ材２２の反射ラインが途切れた終端に接続具１２，１３が現に存在することになる。したがって、消防用ホース１の終端に位置する接続具１２，１３の位置や向きの状態を容易かつ正確に把握できるようになるので、接続具１２，１３の位置を見失うことの回避のみならず、接続具１２，１３の姿勢や向きなどの状態まで容易に判別することができる。
【００６０】
つまり、接続具１２，１３及び保護カバー２３の位置を容易かつ迅速に特定して認識できるようになると共に接続具１２，１３の位置や姿勢または向きなどの状態まで容易に判別することができる。このため、例えば、消火活動時、消防用ホース１を展開するとき、保護カバー２３の部分を足で踏み付け、接続具１２，１３の部分を手で持って固定する操作を行う場合があるが、暗闇でも保護カバー２３の部分の位置や状態を認識できるので、消防用ホースの展開等の操作を容易に行うことができる。
【００６１】
また、展開したホース本体１１の捩れ、比較的重い接続具１２，１３の動き及びその接続具１２，１３の動きに追従するホース本体１１の移動や変位が保護カバー２３の部分で急激かつ顕著に起こる。このような場合であっても、保護カバー２３に付した第２の反射テープ材２２の反射ラインの状態により接続具１２，１３の位置や状態を容易かつ正確に把握できるので、接続具１２，１３の取扱い操作を的確かつ迅速に行うことができる。
【００６２】
以上の如く、本実施形態では、保護カバー２３に付した第２の反射テープ材２２の反射ラインの状態を識別することで、接続具１２，１３直前でのホース本体の捩れや折れ曲がり状態まで正確に知り得、消防用ホース１や接続具１２，１３の取り扱い操作性が顕著に向上する。
【００６３】
なお、本発明は、上述した実施形態に限定されない。上述した実施形態では、反射テープ材をホース本体や保護カバーの長手方向に沿って連続的に全長にわたり形成したが、反射テープ材を間欠的に設ける場合であっても同様に適用することができる。保護カバーで覆われたホース本体の部分にも、反射テープ材を付す形態のものであってもよい。また、反射テープ材は、テープ基材に間欠的に反射層を形成して反射する部分を間欠的に設ける形態でもよい。
【００６４】
更に、本発明は、図８に示すように、前記保護カバー２３を扁平に潰したときに扁平面となる２つの腹部２６ａ，２６ｂの外表面のいずれにも前記反射テープ材を設けるようにしてもよい。つまり、裏面の腹部２６ｂにも前記反射テープ材を設ける形態である。また、ホース本体１１または保護カバー２３に設ける反射テープ材２１，２２は、ホース本体１１または保護カバー２３の腹部中央部に位置して設ける場合に限らない。図７，８にその一例を示すように、保護カバー２３の腹の中央部を避けて側方の部分に位置して反射テープ材２２ｂ，２２ｂを設ける場合でもよい。この図７，８では、反射テープ材２２ｂ，２２ｂが左右側方の２本の場合であるが、中央に位置する反射テープ材２２ａをさらに設けるようにしてもよい。反射テープ材２２ｂ，２２ｂを左右側方に設ける場合等、ホース本体１１の反射テープ材２１との連続性が保護カバー２３のところで途切れ、保護カバー２３を識別し易くなる。
【００６５】
その他、実施段階ではその要旨を逸脱しない範囲で構成要素を変形して具体化できる。更に、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を組み合わせてもよい。
【符号の説明】
【００６６】
１    …消防用ホース
１１  …ホース本体
１２  …流入側接続具
１３  …流出側接続具
１６  …腹部
１６ａ…上側の腹部
１６ｂ…下側の腹部
２１  …第１の反射テープ材
２２  …第２の反射テープ材
２３  …保護カバー
【図１】
2018064958.tif 000003
【図２】
2018064958.tif 000004
【図３】
2018064958.tif 000005
【図４】
2018064958.tif 000006
【図５】
2018064958.tif 000007
【図６】
2018064958.tif 000008
【図７】
2018064958.tif 000009
【図８】
2018064958.tif 000010